(57)【要約】【課題】紙製のケースにおいて、立体形状の蓋体を本体部から容易に分離でき、分離の際に内容物が潰れたり、ケースが変形するのを防止できるようにする。【解決手段】紙製の六面体のケース１０の前面５１に設けられた押圧分離部５５を指で押して、押圧分離部５５を凹ませ、この凹み部分に指を掛けて蓋体前面５１Ａを手前上方へ引くと、膨出用折れ線８３，８３の部分で折れて蓋体前面５１Ａが前方に膨出するように変形する。その結果、前面切断線７２と傾斜切断線７４に沿って切断が進行できるようになり、立体形状の蓋体９２を本体部９１から簡単に分離できるようになる。【選択図】    図６
2004345685.tif 000002
【特許請求の範囲】
【請求項１】
互いに対向する四辺形の上面および底面、前記上面の前辺と前記底面の前辺とを繋ぐ正面、前記上面の後辺と前記底面の後辺とを繋ぐ背面、前記上面の両側辺と前記底面の両側辺とを繋ぐ一対の側面を有して、六面体の箱体とされた紙製のケースにおいて、
前記上面には、前辺と後辺との中間で側辺と直交する折り線が設けられ、前記前面には、上側の蓋体前面と下側の本体前面とに分離する前面切断線が設けられ、両側面には前記折り線から前記前面切断線に向けて斜めに延びる傾斜切断線が設けられて、前記折り線と前面切断線と両傾斜切断線で囲まれた部分が前記折り線をヒンジとして上方へ回動可能な蓋体とされており、
前記前面には、前面切断線から蓋体前面または本体前面に向けて凸状に形成された押圧分離部が前記前面から分離可能に設けられており、前記蓋体前面には、前記押圧分離部の部分を手前に引いたときに、蓋体前面を前方へ膨出変形させる膨出用折れ線が設けられていることを特徴とする紙製のケース。
【請求項２】
前記蓋体前面には、少なくとも２本の膨出用折れ線が設けられ、この膨出用折れ線は、押圧分離部から上面に向かうにしたがってその間隔が徐々に広がるように設けられている請求項１記載の紙製のケース。
【請求項３】
前記押圧分離部は、前記蓋体前面と一体で本体前面に向けて凸状に形成されており、この押圧分離部には、箱体の内方へ向けて凹状に変形させる凹変形用折れ線が設けられている請求項１または２記載の紙製のケース。
【請求項４】
前記押圧分離部は、前面切断線よりも上面側に位置する区分折れ線によって内面に向けて折り変形可能とされており、前記区分折れ線から押圧分離部の下縁に向けて前記凹変形用折れ線が設けられている請求項３記載の紙製のケース。
【請求項５】
前記上面および底面は、両側辺よりも前辺と後辺とが短い長方形状で、前記両側面の面積よりも前面の面積が小さい請求項１ないし４のいずれかに記載の紙製のケース。
【請求項６】
前記箱体内には、折り畳まれたシートが複数枚重ねられたシート積層体が収納され、前記蓋体が開放された状態で、前記シートが１枚ずつ取り出し可能とされている請求項１ないし５のいずれかに記載の紙製のケース。
【発明の詳細な説明】
【０００１】
【発明の属する技術分野】
本発明は、例えば、紙製、不織布あるいは樹脂フィルムまたはこれらの複合体であるシート、あるいはシート以外の内容物を収納する紙製のケースに関する。
【０００２】
【従来の技術】
家庭内などで使用される、紙、不織布、樹脂フィルム、アルミホイル、あるいはこれらが複合された清掃用や食器拭き用あるいは料理用または食品保管用のシートは、紙製のケースに収納されているのが一般的である。
【０００３】
前記紙製のケースは、このケースを構成している紙材の一部を破り取ることにより、開口部が形成される。従来のこの種のケースは六面体の箱であり、上面に前記開口部が形成され、あるいは前記上面から前面にかけて開口部が形成されるのが通常である。
【０００４】
また、以下の特許文献１に記載のケースでは、長方形の上面と長方形の側面にかけて開口部が形成されているが、この開口部は、箱体の長手方向に向けて台形状に形成されている。このケースは、長方形の上面および長方形の側面のそれぞれの側辺を垂直な向きとしたいわゆる縦置き設置することを想定しているものである。前記縦置き状態において、前記開口部を逆台形状の向きとすることにより、シートを水平な向きに取り出しやすくするというものである。
【０００５】
【特許文献１】
特開平１０−１６９４９号公報
【０００６】
【発明が解決しようとする課題】
しかし、前記従来の紙製のケースでは、開口部を開放する際に、ケースの一部をミシン目の部分で切断することが必要であるが、ケースはある程度の剛性を保てるように比較的厚い紙材で形成されているため、前記ミシン目の部分でケースを形成している紙材を切断するのは必ずしも容易ではない。
【０００７】
従来の一般的な紙製のケースおよび前記特許文献１に記載のケースでは、前記ミシン目の部分で紙材を切断する際に、ケースの一部を内方へ向けて押し込むようにしてミシン目で切断できるようにしている。このとき、ケースの一部を内方へ向けて強く押し込むことが必要となるため、開口部を形成する際に、内容物のシートなどが前記押し込み力で潰れあるいは変形する可能性がある。また、ケースの一部を強く押し込むことにより、ケースそのものが変形してしまうこともある。
【０００８】
また、従来のケースは、その一部を切断して蓋体を形成し、開封後にこの蓋体で開口部を塞げるように工夫している。しかし、特許文献１に記載されたケースなどでは、箱状のケースの２つの面から蓋体を分離する構造であるため、蓋体は１枚の板材を直角に折り曲げた構造となり、蓋体自体の剛性が低いものとなる。よって、開封後の使用中に蓋体が変形しやすく、開封後にこの蓋体でケースの開口部を確実に塞ぐことができず、使用中にケース内部に埃などが入りやすくなる欠点がある。
【０００９】
本発明は上記従来の課題を解決するものであり、ケースを構成している紙材を容易に分離して開口部を形成でき、しかもケースから分離した蓋体が立体的な構造で、高い剛性を維持でき、開封後も蓋体で開口部を確実に塞ぐことができる紙製のケースを提供することを目的としている。
【００１０】
【課題を解決するための手段】
本発明は、互いに対向する四辺形の上面および底面、前記上面の前辺と前記底面の前辺とを繋ぐ正面、前記上面の後辺と前記底面の後辺とを繋ぐ背面、前記上面の両側辺と前記底面の両側辺とを繋ぐ一対の側面を有して、六面体の箱体とされた紙製のケースにおいて、
前記上面には、前辺と後辺との中間で側辺と直交する折り線が設けられ、前記前面には、上側の蓋体前面と下側の本体前面とに分離する前面切断線が設けられ、両側面には前記折り線から前記前面切断線に向けて斜めに延びる傾斜切断線が設けられて、前記折り線と前面切断線と両傾斜切断線で囲まれた部分が前記折り線をヒンジとして上方へ回動可能な蓋体とされており、
前記前面には、前面切断線から蓋体前面または本体前面に向けて凸状に形成された押圧分離部が前記前面から分離可能に設けられており、前記蓋体前面には、前記押圧分離部の部分を手前に引いたときに、蓋体前面を前方へ膨出変形させる膨出用折れ線が設けられていることを特徴とするものである。
【００１１】
この紙製のケースは、前面切断線と傾斜切断線とで紙材を切断することにより、４面を有する立体的で剛性の高い蓋体を形成でき、この蓋体が折れ線をヒンジとして開放されるものとなる。よって開封後も、立体的で変形しにくい蓋体により開口部を確実に塞ぐことができる。
【００１２】
この蓋体をケースから分離する際には、前面に設けられた押圧分離部を押し込み、この押圧分離部の分離部分に指を差し込むなどして手前側あるいは手前やや上方に向けて引くことにより、前面切断線と傾斜切断線の切断を進行させることができ。すなわち、指などで押し込むのは押圧分離部だけで、その後は蓋体前面をケースの外方へ向けて引き上げることで開口部が形成されるため、内容物が指で押されて変形することが生じ難く、また蓋体を容易に分離できるようになる。
【００１３】
本発明では、好ましくは、前記蓋体前面には、少なくとも２本の膨出用折れ線が設けられ、この膨出用折れ線は、押圧分離部から上面に向かうにしたがってその間隔が徐々に広がるように設けられている。
【００１４】
このような膨出用折れ線を設けることにより、蓋体前面がケースの外方に向けて膨出変形しやすくなり、この変形に追従して、前面切断線と傾斜切断線に切断が進行しやすくなる。
【００１５】
また本発明では、前記押圧分離部は、前記蓋体前面と一体で本体前面に向けて凸状に形成されており、この押圧分離部には、箱体の内方へ向けて凹状に変形させる凹変形用折れ線が設けられているものとして構成される。
【００１６】
この構成では、押圧分離部全体がケースに向けて凹状に変形でき、この凹状に変形した押圧分離部に指を掛けて蓋体を手前に引くことにより、蓋体前面を引き上げやすくなり、また指が紙材のエッジに当たりにくくなり、指を保護しやすい。
【００１７】
さらに、本発明では、前記押圧分離部は、前面切断線よりも上面側に位置する区分折れ線によって内面に向けて折り変形可能とされており、前記区分折れ線から押圧分離部の下縁に向けて前記凹変形用折れ線が設けられていることが好ましい。
【００１８】
この構成では、押圧分離部を押し込んだときに、押圧分離部がケース内方に向けて凹状に変形しやすくなる。
【００１９】
例えば、本発明のケースは、前記上面および底面は、両側辺よりも前辺と後辺とが短い長方形状で、前記両側面の面積よりも前面の面積が小さいものである。
【００２０】
このケースでは、小さい面積の前面からケースの奥行きに向けて開口部が形成されるため、面積の小さい前面を手前に向けて食器棚やキッチンの壁際に設置した状態で、内容部を取り出すことができる。したがって、食器棚やキッチンなどの壁際のスペースを有効に利用してケースを配置できる。
【００２１】
例えば、前記箱体内には、折り畳まれたシートが複数枚重ねられたシート積層体が収納され、前記蓋体が開放された状態で、前記シートが１枚ずつ取り出し可能とされているものである。
【００２２】
ただし、本発明のケースの内容物は前記シート積層体に限られるものではなく、シート以外の家庭用、台所用製品などであってもよい。
【００２３】
【発明の実施の形態】
図１は本発明の紙製のケースの開封前を示す斜視図、図２は前記ケースから蓋体を分離して開放した状態を示す斜視図、図３は前記ケースの押圧分離部の構造を示す拡大正面図、図４は内容物であるシート積層体の斜視図、図５は前記ケースの展開平面図、図６と図７は蓋体を分離して開放する操作を示す部分斜視図である。
【００２４】
図１と図２には、ケース１０にシート積層体２が収納されたケースパッケージ１を示している。
【００２５】
前記ケース１０は、厚紙で形成されている。ただし、前記ケース１０が、厚紙と樹脂フィルムとの積層体、あるいは厚紙と金属箔との積層体であって、例えばケースの内面に前記樹脂フィルムや前記金属箔が向けられているものであってもよい。この明細書では、これら積層体を含めて紙材と呼ぶ。この紙材の坪量は２００〜５００ｇ／ｍ２程度である。
【００２６】
また、シート積層体２を構成するシートが台所で使用される清掃用のキッチンシートあるいは揚げ物の油切りなどとして用いられるクッキングシートの場合、ケース１０の外面にはニスなどの樹脂コート膜が形成される。これにより、紙製のケース１０の外面に食用油や水が付着しても、ケースの劣化を防ぐことができる。
【００２７】
図１に示すように、立体形状に組み立てられたケース１０は、六面体の箱体である。また、図５に示す展開図に示される各部分は、紙材により連続して一体に形成されている。
【００２８】
ケース１０の上面１１は、一対の側辺１２，１２および、前辺１３と後辺１４とで囲まれている。前記上面１１は、側辺１２，１２が前辺１３および後辺１４よりも長い長方形状である。前記上面１１に対向する底面２１を図５の展開図で説明すると、この底面２１は、一対の側辺２２，２２および、前辺２３と後辺２４とで囲まれている。底面２１は、側辺２２，２２が前辺２３および後辺２４よりも長い長方形状である。この底面２１と前記上面１１は同じ大きさであり、図１に示す立体の状態で、前記上面１１と底面２１とが平行に対向している。
【００２９】
右側面３１は、前記上面１１と連続して形成されており、前記側辺１２とこの側辺１２に対向する側辺縁部３２、および前辺３３と後辺３４とで囲まれた長方形である。左側面４１は、前記上面１１と前記底面２１との間に連続して形成されており、前記側辺１２と側辺２２、および前辺４３と後辺４４とで囲まれた長方形である。右側面３１と左側面４１は、同じ大きさであり、図１に示す立体の状態で、右側面３１と左側面４１は平行に対向している。
【００３０】
前記底面２１の一方の側辺２２から側部接合片２５が一体に延びている。紙材で形成されたケース１０は、図５に示す展開状態において、側辺１２，１２および側辺２２，２２に沿う折癖が予め圧痕成形により付されている。それぞれの前記側辺において厚紙が直角に折り曲げられ、前記側部接合片２５が、右側面３１の内側に重ねられて側辺２２と側辺縁部３２とが一致した状態で、前記側部接合片２５と右側面３１とが接着などの手段で接合される。これにより、上面１１と底面２１とが平行に対向し、右側面３１と左側面４１とが平行に対向する。
【００３１】
前記上面１１には前辺１３を介して前面５１が連続して形成されている。この前面５１は、前記前辺１３と、これに対向する下縁５４および、前記前辺１３および下縁５４に直交する側縁５２と５３を有する長方形あるいは正方形である。前記上面１１には、後辺１４を介して後面６１が連続して形成されている。この後面６１は、前記後辺１４と、これに対向する下縁６４、および前記後辺１４と下縁６４の双方に直交する側縁６２，６３を有する長方形または正方形である。前記前面５１と後面６１は、互いに同じ形状で同じ大きさであり、図１に示す立体の状態で、前記前面５１と後面６１は、互いに平行に対向している。
【００３２】
前記底面２１には、前辺２３から連続する底部接合片２６と、後辺２４から連続して突出する底部接合片２７が一体に形成されている。前記右側面３１には、前辺３３から連続して突出する端部接合片３６と、後辺３４から連続して突出する端部接合片３７が一体に形成され、前記左側面４１には、前辺４３から連続して突出する端部接合片４６と、後辺４４から連続して突出する端部接合片４７が一体に形成されている。
【００３３】
図５に示す展開状態において、前記前辺１３，２３，３３，４３、および前記後辺１４，２４，３４，４４において厚紙に折り癖が圧痕成形などで付されている。それぞれの前記前辺と後辺で厚紙が直角に折られ、端部接合片３６と端部接合片４６とが、前面５１の内面に重ねられ、側縁５２が前辺３３に一致し、側縁５３が前辺４３に一致する状態で、前記端部接合片３６および４６と、前面５１とが接着などにより接合される。また、底部接合片２６が、前面５１の内面に重ねられて、前面５１の下縁５４と底面２１の前辺２３が一致した状態で、前記底部接合片２６と前面５１とが接着などの手段で接合される。
【００３４】
これにより、前記前面５１によって、上面１１の前辺１３と底面２１の前辺２３、および右側面３１の前辺３３と、左側面４１の前辺４３とが繋がれる。
【００３５】
同様にして、端部接合片３７，４７と底部接合片２７が、後面６１の内面に重ねられて接着などの手段で接合され、前記後面６１によって、上面１１の後辺１４と底面２１の後辺２４、および右側面３１の後辺３４と、左側面４１の後辺４４とが繋がれる。この状態で、前面５１と後面６１とが平行に対向して六面体の箱体が形成される。なお、この箱体の組み立て過程の途中で、前記ケース１０内に、内容物となるシート積層体２が納められる。
【００３６】
前記上面１１では、前辺１３と後辺１４との中間にヒンジ用折れ線７１が設定されている。このヒンジ用折れ線７１を境界として、上面１１が折り曲がりやすくなっている。
【００３７】
本明細書での折れ線は、圧痕成形や、直線状の切れ目が間欠的に並ぶミシン目（パーフォレーション）などにより形成されて、折れ線が設けられていない部分よりも紙材を折り曲げやすくなっている。この実施の形態では、上面１１に形成されたヒンジ用折れ線７１が、切れ目７１ａが間欠的に並ぶミシン目となっており、このミシン目の部分で上面１１を切断することも可能となっている。
【００３８】
前記ヒンジ用折れ線７１は、前辺１３と後辺１４と平行で、且つ両側辺１２，１２と直交して形成されている。前記上面１１は、ヒンジ用折れ線７１と前辺１３とで挟まれた部分が蓋体上面１１Ａで、前記ヒンジ用折れ線７１と後辺１４とで挟まれた部分が本体上面１１Ｂとなっている。
【００３９】
前記前面５１には、側縁５２および側縁５３とに直交する前面切断線７２が形成されている。この明細書での切断線は、切れ目が間欠的に並ぶミシン目（パーフォレーション）などのように、その部分で紙材を切断しやすくした構造を意味している。この実施の形態での前面切断線７２は、前面５１の上方に位置する前辺１３および下縁５４の双方に対して平行で且つ直線的に形成されている。また、前記前面切断線７２は中央部分で途切れており、この途切れている部分には、前面５１の下縁５４に凸側が向けられた円弧状の中央切断線７３が設けられている。前記前面切断線７２と前記中央切断線７３の部分で、前記前面５１を上下に二分できるようになっている。
【００４０】
前記前面５１は、前記前面切断線７２と中央切断線７３および前辺１３とで挟まれた部分が、前記蓋体上面１１Ａに繋がった蓋体前面５１Ａであり、前記前面切断線７２と中央切断線７３および下縁５４とで挟まれた部分が、底面２１に繋がる本体前面５１Ｂとなっている。
【００４１】
なお、図５に示すように、前記端部接合片３６と３７には、前記前面切断線７２の部分に倣って切欠き部３６ａ，４６ａが形成されている。前記端部接合片３６と４６が、前記前面５１の内面に接着などにより接合されたときに、切欠き部３６ａ，４６ａが、前記前面切断線７２の内側に位置し、前記前面切断線７２の部分で前面５１を切断するのを端部接合片３６と３７が妨げない構造となっている。
【００４２】
前記右側面３１には、傾斜切断線７４が形成されている。この傾斜切断線７４の前端７４ａは、側縁５２において前記前面切断線７２と連続しまたは前面切断線７２の近傍に位置している。傾斜切断線７４は、前端７４ａを起点としてヒンジ用折れ線７１に向かうにしたがって底面２１から徐々に離れるように直線状に傾斜している。そして、傾斜切断線７４の後端７４ｂは、側辺１２においてヒンジ用折れ線７１に連続し、あるいはヒンジ用折れ線７１の近傍に位置している。
【００４３】
右側面３１では、傾斜切断線７４と側辺１２と前辺３３（側縁５２）とで囲まれた三角の領域が蓋体側面３１Ａであり、前記蓋体側面３１Ａを除いた部分、すなわち前記傾斜切断線７４と側辺１２と側辺縁部３２および前辺３３（側縁５２）と後辺３４（側縁６２）とで囲まれた五角形の領域が本体側面３１Ｂとなっている。
【００４４】
図５の展開図に示すように、左側面４１には、右側面３１と同様に傾斜切断線７４が形成されており、この切断線７４を境界として、蓋体側面４１Ａと本体側面４１Ｂとに区分されている。
【００４５】
図１および図３の拡大図に示すように、前記前面５１では、前面切断線７２よりも上面１１に近づく位置に、前記上面１１と平行に延びる第１の区分折れ線８１が設けられている。また前面切断線７２と中央切断線７３とのそれぞれの境界部から、前記第１の区分折れ線８１の両端にかけて、第２の区分折れ線８２，８２が設けられている。第２の区分折れ線８２，８２は、上面１１に向かうにしたがってその間隔が徐々に狭くなるように傾斜して形成されている。前記中央切断線７３と、第１の区分折れ線８１および第２の区分折れ線８２，８２で囲まれた部分が、押圧分離部５５となっている。
【００４６】
前記蓋体前面５１Ａでは、前記第１の区分折れ線８１の両端近傍から前辺１３にかけて、膨出用折れ線８３，８３が設けられている。この膨出用折れ線８３と８３は、前辺１３に向かうにしたがってその間隔が徐々に広がるように、傾斜して形成されている。蓋体前面５１Ａは、膨出用折れ線８３と８３とで挟まれた中央部５１Ｄと、膨出用折れ線８３，８３よりも左右両側の両側部５１Ｅ，５１Ｅとに区分できる。
【００４７】
図１に示すように膨出用折れ線８３，８３の上端８３ａ，８３ａは、前辺１３の近傍まで延びており、または前辺１３に繋がる位置まで延びている。あるいは前記上端８３ａ，８３ａは、前辺１３とそれぞれの側縁５２，５３とが連続する角部に向けて延びて角部に繋がり、あるいは角部の近傍に位置している。
【００４８】
前記押圧分離部５５には、凹変形用折れ線８４，８４が設けられている。この凹変形用折れ線８４，８４は、第１の区分折れ線８１の両端から中央切断線７３に向けて、その間隔が徐々に広がるように傾斜して設けられている。
【００４９】
図２および図４に示すように、前記ケース１０に収納されるシート積層体２は、互いに独立したシート単体３が折り畳まれた状態で複数枚積層されたものである。シート単体３は、展開すると長方形または正方形であり、長い折れ線３ａで折られて、一方の縁部３ｂが下側に向けられ、また前記折れ線３ａと平行な折れ線３ｃで折られて、他方の縁部３ｄが上側に向けられている。そして前記縁部３ｄは、前記折れ線３ａと折れ線３ｃとの中間に位置している。
【００５０】
前記シート単体３が折り畳まれた状態で積層されたシート積層体２は、前記折れ線３ａで個々のシート単体３が揃えられた側面２ａと、折れ線３ｃで個々のシート単体３が揃えられた側面２ｂ、および端面２ｃを有している。このシート積層体２は、前記六面体のシート収納ケース１０よりも一回り小さい六面体構造となる。そして、最上部のシート単体３が取り出されると、次に最上部に現れるシート単体３は、常に縁部３ｄがシート積層体２の側面２ａと側面２ｂとの中間に位置し、この縁部３ｄを摘んでシート単体３を引き出せるようになる。
【００５１】
前記シート単体３は、紙、不織布、樹脂フィルム、あるいはこれらいずれかの材料を組み合わせてラミネートした複合シートである。このシート単体３は、台所などで使用するキッチンシート、または台所以外で使用する清掃シート、台所において揚げ物の油切りなどに使用されるクッキングシート、またはシート単体３が樹脂フィルムで袋状に形成された食品包装袋などである。またはシート単体３がティッシュペーパーであってもよい。シート積層体２は、前記シート単体３が前記のように折り畳まれて、２０〜１００枚程度積み重ねられたものである。
【００５２】
このシートパッケージ１の開封操作について説明する。
このシートパッケージ１を開封するには、６に示すように、前面５１に位置する前記押圧分離部５５を箱体の内方に向けて指で押圧する。この操作により、中央切断線７３で紙材が切断される。
【００５３】
押圧分離部５５では、凹変形用折れ線８４の部分で紙材が折れやすくなっているため、指で押圧すると押圧分離部５５が箱体の内方に向けて凹状に変形しやすい。よって、軽い押圧力によって前記中央切断線７３で紙材を切断できる。さらにこの実施の形態では、図３に示すように、中央切断線７３のミシン目を形成している個々の切れ目７３ａが、前面切断線７２のミシン目を形成している個々の切れ目７２ａよりも長くなっており、これによっても、中央切断線７３にて紙材が切断されやすいように工夫されている。
【００５４】
図６に示すように、押圧分離部５５が箱体の内方へ凹状に変形した時点で、押圧分離部５５の凹み部分に指を挿入したまま、蓋体前面５１Ａを手前に向けて引っ張り、好ましくは手前の斜め上方に向けて引っ張る。蓋体前面５１Ａでは、膨出用折れ線８３，８３の部分で紙材が折れやすくなっているため、図７に示すように、蓋体前面５１Ａでは、膨出用折れ線８３，８３の部分が手前に向けて山折り状態に変形して、膨出用折れ線８３と８３とで挟まれた中央部５１Ｄが前方に膨出するように変形しようとする。この変形の際に、前面切断線７２，７２の部分で前面５１を形成している紙材が容易に切断される。
【００５５】
さらに、図７に示すように、押圧分離部５５に指を掛けた状態で、蓋体前面５１Ａを斜め上方へ持ち上げると、前面切断線７２，７２での切断が傾斜切断線７４，７４に伝わって、傾斜切断線７４，７４が切断されて行く。このとき、蓋体前面５１Ａは、中央部５１Ｄが前方へ突出するように変形しながら持ち上げられ、右側面３１と左側面４１では、蓋体側面３１Ａと蓋体側面４１Ａがわずかにケース内方に向けて変形する。その結果、傾斜切断線７４，７４の部分で蓋体側面３１Ａと本体側面３１Ｂとを容易に分離でき、また蓋体側面４１Ａと本体側面４１Ｂとを容易に分離できる。
【００５６】
前記開封操作では、押圧分離部５５がケース内方に向けて凹状に変形するため、この押圧分離部５５に指を掛けやすくなる。また、図７に示すように指を手前の斜め上向きに持上げる際に、指の押圧力は押圧分離部５５において面で受けられ、紙材のエッジが指に当たることがない。よって、蓋体前面５１Ａの中央部５１Ｄを手前に向けて膨出変形させやすく、また、指に与えられる抵抗圧力を小さくでき、指を保護できるようになる。
【００５７】
前記開封操作により、前面切断線７２および傾斜切断線７４，７４で紙材が切断されると、図２に示すように、ケース１０は、本体部９１と蓋体９２とに区分される。前記蓋体９２は、蓋体上面１１Ａと、これに繋がる蓋体前面５１Ａおよび蓋体側面３１Ａ，４１Ａとで形成された立体形状である。また本体部９１は、本体上面１１Ｂと底面２１、本体側面３１Ｂと４１Ｂ、本体前面５１Ｂおよび後面６１とで形成される。
【００５８】
開封後の蓋体９２は、ヒンジ用折れ線７１の部分を支点として回動でき、図２に示すように蓋体９２を持上げたときに、本体部９１に開口部９３が形成される。この開口部９３は、前記傾斜切断線７４，７４に沿って、本体前面５１Ｂから本体上面１１Ｂにかけて斜めに開口する。
【００５９】
前記蓋体９２が本体部９１から分離された状態で、シート積層体２の端面２ｃの一部が本体前面５１Ｂの開口縁部よりも上方に現れ、シート積層体２の側面２ａと側面２ｂのそれぞれの一部が、本体側面３１Ｂおよび本体側面４１Ｂの開口縁部よりも上方へ現れる。
【００６０】
斜めに開口している開口部９３から、シート積層体２の端面２ｃおよび側面２ａ，２ｂの一部が完全に露出しているため、最上部のシート単体３を開口部９３から取り出しやすくなる。この実施の形態では、シート単体３が折り畳まれて、その縁部３ｄが、折れ線３ａと３ｃとの中間に位置しているため、シート積層体２の最上部に現れているシート単体３の前記縁部３ｄをつまむことにより、開口部９３から容易に引き出すことができる。
【００６１】
このシートパッケージ１は、前面５１が使用者に対して手前に向くように設置した状態で、開口部９３からシート単体３を容易に取り出すことができる。よって、シートパッケージ１を台所や食器棚などの壁際に置いて前面５１が手前に向くように設置することができる。そして、壁際に設置したケース１０から、シート単体３を壁に沿う方向へ引き出すことができる。よって、台所や食器棚などの壁際のスペースを有効に利用してシートパッケージ１を置くことができ、その状態でシート単体３を引き出せるようになる。
【００６２】
また、蓋体９２は、蓋体上面１１Ａと蓋体前面５１Ａと、蓋体側面３１Ａ，４１Ａとが立体的に繋がって構成されているため、蓋体９２の剛性が高くなり歪みにくい構造となっている。したがって、蓋体９２を閉じたときに、この蓋体９２で開口部９３を確実に塞ぐことができ、埃やゴミなどがシート積層体２に付着するのを防止できる。
【００６３】
また、蓋体上面１１Ａと蓋体前面５１Ａと、蓋体側面３１Ａ，４１Ａとで形成された蓋体９２は、比較的重量が大きいため、図２に示すように、開封状態において、蓋体９２を、本体上面１１Ｂに重なった状態で安定させることができる。よって片手で蓋体９２を上向きに押し上げて、そのまま同じ片手でシート単体３を取り出すことができ、このとき蓋体９２が不用意に開口部９３に向けて閉じることがない。
【００６４】
さらに、この実施の形態では、ヒンジ用折れ線７１がミシン目であるため、このヒンジ用折れ線７１の部分で、蓋体９２を本体部９１から切り離すことも可能である。
【００６５】
ここで、図６に示すように、押圧分離部５５を指で押圧したときに、押圧分離部５５が凹状に変形でき、その後に押圧分離部５５が変形した窪みに指を掛けやすくするために、図３に示す各寸法が以下の範囲であることが好ましい。
【００６６】
押圧分離部５５の幅寸法Ｌ１は、１０ｍｍ以上で８０ｍｍ以下、前面切断線７２から中央切断線７３の下端までの高さ寸法Ｈ１は、５ｍｍ以上で４０ｍｍ以下、前面切断線７２から第１の区分折れ線８１までの高さ寸法Ｈ２は、０ｍｍを超えて１５ｍｍ以下、第１の区分折れ線８１の長さは、前記Ｌ１の８０％以下が好ましい。
【００６７】
前記範囲であると、押圧分離部５５を指で押しやすく、また押圧分離部５５が凹状に変形した後に、この部分に指を掛けやすくなる。
【００６８】
また、前辺１３および下縁５４と平行な線に対する膨出用折れ線８３の角度αの絶対値と、前記線に対する凹変形用折れ線８４の角度βの絶対値とは、その差が１０度以下であることが好ましく、角度αと角度βの絶対値がほぼ等しいことがさらに好ましい。
【００６９】
膨出用折れ線８３，８３の間隔が上面１１に向けて徐々に広くなり、凹変形用折れ線８４と８４の間隔が中央切断線７３に向けて徐々に広くなっていると、押圧分離部５５をケース内方へ折り曲げたときに、押圧分離部５５が蓋体前面５１Ａの内面において押圧分離部５５の膨出形状と同じように変形できるようになる。よって、指を押圧分離部５５に掛けやすく、押圧分離部５５と共に蓋体前面５１Ａを手前側に膨出するように変形させやすくなる。
【００７０】
本発明は、前記実施の形態に限定されることなく種々の変更が可能である。
例えば、図８に示すように、前面５１に設けられた前面切断線７２Ａ，７２Ａが、前辺１３に対して角度を有して斜めに形成されていてもよい。あるいは前記前面切断線が曲線形状であってもよい。
【００７１】
さらに、本発明では、押圧分離部５５が設けられた前面５１および後面６１の幅寸法および面積が、右側面３１と左側面４１の幅寸法および面積よりも大きいものであってもよい。あるいは、前面５１および後面６１と、右側面３１および左側面４１とが同じ大きさであってもよい。
【００７２】
また、ケース１０の内容物は、前記シート積層体２に限られず、帯状のシートが折り畳まれて、このシートがミシン目を介して所定面積のシート単体に分離できるものであってもよい。あるいはシート以外の内容物であってもよい。
【００７３】
【発明の効果】
以上のように本発明では、蓋体上面と蓋体前面および両蓋体側面とが繋がった立体形状の蓋体をケース本体部から切断して分離する際に、その切断が容易である。また押圧分離部のみをケース内方へ指押し込む構造であるため、内容物であるシート積層体などが指の押圧力により潰されたり変形させられるのを防ぐことができ、ケースが大きく変形するのも防止できる。また蓋体が立体形状であるため、剛性が高く、開封後も、蓋体で開口部を確実に塞ぐことが可能である。
【図面の簡単な説明】
【図１】本発明のケースを用いたシートパッケージを示す斜視図、
【図２】ケースの蓋体を分離して開放させた状態を示す斜視図、
【図３】押圧分離部の構成を示す拡大正面図、
【図４】シート積層体の部分斜視図、
【図５】前記ケースの展開図、
【図６】ケースの押圧分離部を押圧した状態を示す部分斜視図、
【図７】蓋体を分離して開放する操作を示す部分斜視図、
【図８】前記実施の形態の変形例を示すケースの展開図、
【符号の説明】
１  シートパッケージ
２  シート積層体
１０  ケース
１１  上面
１１Ａ  蓋体上面
１１Ｂ  本体上面
１２  側辺
１３  前辺
１４  後辺
２１  底面
２２  側辺
２３  前辺
２４  後辺
３１  右側面
３１Ａ  蓋体側面
３１Ｂ  本体側面
４１  左側面
４１Ａ  蓋体側面
４１Ｂ  本体側面
５１  前面
５１Ａ  蓋体前面
５１Ｂ  本体前面
５５  押圧分離部
７１  ヒンジ用折れ線
７２  前面切断線
７３  中央切断線
７４  傾斜切断線
８１，８２  区分折れ線
８３  膨出用折れ線
８４  凹変形用折れ線
９１  本体部
９２  蓋体
９３  開口部
【図１】
2004345685.tif 000003
【図２】
2004345685.tif 000004
【図３】
2004345685.tif 000005
【図４】
2004345685.tif 000006
【図５】
2004345685.tif 000007
【図６】
2004345685.tif 000008
【図７】
2004345685.tif 000009
【図８】
2004345685.tif 000010